(57)【要約】【課題】  フロアパネルの再敷設を伴わず、リバーシブルフロアを形成し得るフロアパネルを提供する。【解決手段】  フロアパネル本体１の表面２に凹部３を形成し、この凹部３の底面４にフロア表面化粧板５を嵌入、貼着してなるフロアパネルであって、フロア表面化粧板５が再剥離可能に貼着されてなるので、フロアパネルの再敷設を伴わず、再剥離可能な既設のフロア表面化粧板５を剥離、反転、再貼着するだけでリバーシブルフロアを形成でき、また、フロア表面化粧板５のみの交換も容易で床面の模様替えが簡便にできることとなる。【選択図】図２
2006144334.tif 000002
【特許請求の範囲】
【請求項１】
フロアパネル本体の表面に凹部を形成し、前記凹部の底面にフロア表面化粧板を嵌入、貼着してなるフロアパネルであって、前記フロア表面化粧板が再剥離可能に貼着されてなることを特徴とするフロアパネル。
【請求項２】
前記フロア表面化粧板が表裏両面に化粧面を有することを特徴とする請求項１記載のフロアパネル。
【請求項３】
前記凹部の底面に平滑な金属面を有することを特徴とする請求項１または請求項２記載のフロアパネル。
【請求項４】
一端に加圧ガスを注入可能な開放口を有し前記凹部の底面と前記フロア表面化粧板との貼着面に到達する離間穴を有することを特徴とする請求項１乃至請求項３のいずれかに記載のフロアパネル。
【発明の詳細な説明】
【技術分野】
【０００１】
本発明は、フロアパネル本体の表面に凹部を形成し、前記凹部の底面にフロア表面化粧板を嵌入、貼着してなるフロアパネルに関するものである。
【背景技術】
【０００２】
従来、既設のフロアパネルの表面の模様替えを行なう際には、通常、接着剤、釘打ち、両面テープ等により貼り付けられているフロアパネルを剥がして床面を平滑にした後、新たなフロアパネルを接着剤等により貼り付けて仕上げをしており、非常に面倒で時間がかかるという問題点があった。
【０００３】
かかる既設床面の模様替え時の施工負担を軽減する方策についても、種々検討がなされており、例えば、特開平１１−２００６０１号公報には、フロアパネル表面、裏面にそれぞれ異なる床材質面を形成し、フロアパネル側面の実構造の相互嵌合により接着剤等によらず、床面を形成でき、既設床面の模様替えを行なう際には、フロアパネルの表面、裏面を裏がえしてリバーシブルフロアとし得るフロアパネルが開示されている。
【０００４】
しかし、かかるフロアパネルによっても、フロアパネル自体を一旦、取り外して、フロアパネルの表面、裏面を裏がえした後、再度フロアパネルを敷設するという点において、従来の既設のフロアパネルの表面の模様替えと変わるところはなく、依然として非常に大掛かりで手間がかかる作業を要するものであった。
【特許文献１】特開平１１−２００６０１号公報
【発明の開示】
【発明が解決しようとする課題】
【０００５】
本発明は、上記背景技術に鑑みて発明されたものであり、その課題は、フロアパネルの再敷設を伴わず、リバーシブルフロアを形成し得るフロアパネルを提供することである。
【課題を解決するための手段】
【０００６】
上記課題を解決するために、請求項１に係る発明のフロアパネルにあっては、フロアパネル本体の表面に凹部を形成し、前記凹部の底面にフロア表面化粧板を嵌入、貼着してなるフロアパネルであって、前記フロア表面化粧板が再剥離可能に貼着されてなることを特徴とするものである。
【０００７】
請求項２に係る発明のフロアパネルにあっては、請求項１記載のフロアパネルにおいて、前記フロア表面化粧板が表裏両面に化粧面を有することを特徴とするものである。
【０００８】
請求項３に係る発明のフロアパネルにあっては、請求項１または請求項２記載のフロアパネルにおいて、前記凹部の底面に平滑な金属面を有することを特徴とするものである。
【０００９】
請求項４に係る発明のフロアパネルにあっては、請求項１乃至請求項３のいずれかに記載のフロアパネルにおいて、一端に加圧ガスを注入可能な開放口を有し前記凹部の底面と前記フロア表面化粧板との貼着面に到達する離間穴を有することを特徴とするものである。
【発明の効果】
【００１０】
本発明のフロアパネルは、フロアパネル本体の表面に凹部を形成し、前記凹部の底面にフロア表面化粧板を嵌入、貼着してなるフロアパネルであって、前記フロア表面化粧板が再剥離可能に貼着されてなるので、フロアパネルの再敷設を伴わず、再剥離可能な既設のフロア表面化粧板を剥離、反転、再貼着するだけでリバーシブルフロアを形成でき、また、フロア表面化粧板のみの交換も容易で床面の模様替えが簡便にできることとなる。
【発明を実施するための最良の形態】
【００１１】
以下、本発明の実施形態を図面に基づき説明する。なお、本発明のフロアパネルは、下記の実施形態にのみ限定されるものではなく、本発明の要旨を逸脱しない範囲内において種々変更を加え得ることは勿論である。ここで、図１は、本発明の一実施形態であるフロアパネルＡの概略構造を示す斜視図である。一方、図２は、本発明の一実施形態であるフロアパネルＡの概略構造を示す分解斜視図である。さらに、図３は、本発明の一実施形態であるフロアパネルＡの概略構造を示すもので、図１のＸ‐Ｘ’における縦断面図である。また、図４は、離間穴１０ａを具備するフロアパネルＡの概略構造を示すもので、図１のＴ‐Ｔ’における縦断面図である。図５は、離間穴１０ｂを具備する本発明の一実施形態であるフロアパネルＢの概略構造を示す、図４と同様の縦断面図である。さらに、図６は、離間穴１０ｃを具備する本発明の一実施形態であるフロアパネルＣの概略構造を示す、図４と同様の縦断面図である。
【００１２】
すなわち、本実施形態のフロアパネルＡは、図１〜図３に示すように、フロアパネル本体１の表面２に凹部３を形成し、この凹部３の底面４にフロア表面化粧板５を嵌入、貼着してなるフロアパネルである。
【００１３】
ここで、フロア表面化粧板５が凹部３の底面４に再剥離可能に貼着されてなるものである。具体的には、例えば、ポリエチレングリコール系接着剤を用いることでフロア表面化粧板５を底面４に再剥離可能に貼着することができる。
【００１４】
また、本実施形態のフロアパネルＡは、凹部３の底面４に平滑な金属面７を有することを特徴とするものである。具体的には、凹部３の底面４を例えば、アルミニウムシート１１を用いて形成することにより底面４を平滑な金属面７とすることができ、良好な貼着性と再剥離性を確保し得るのみならず、底面４の不陸調整にも寄与し得ることとなる。
【００１５】
さらに、本実施形態のフロアパネルＡは、フロア表面化粧板５が表裏両面に化粧面６（すなわち、表側化粧面６ａ、及び、裏側化粧面６ｂ）を有することを特徴とするものである。すなわち、フロア表面化粧板５を両面塗装して表側化粧面６ａ、及び、裏側化粧面６ｂを形成し、フロアパネルＡの表面の模様替えを行なう際には、かかるフロア表面化粧板５の表側化粧面６ａと裏側化粧面６ｂとを反転せしめて、再度、フロア表面化粧板５を凹部３の底面４に貼着することによりリバーシブルフロアが形成でき、また、フロア表面化粧板５を両面塗装して化粧面６とすることにより底面４での貼着性の向上をも図り得ることとなる。
【００１６】
この結果、フロアパネルＡの再敷設を伴わず、リバーシブルフロアを形成でき、また、床面の模様替えが容易にできることとなる。さらには、このように形成したリバーシブルフロアにキズや汚れが付着した際にはフロア表面化粧板５を交換することにより良好な美観を確保し得ることとなる。
【００１７】
一方、本実施形態のフロアパネルＡでは、図４に示すように、フロアパネルＡの一端に加圧ガス１２を注入可能な開放口８を有し凹部３の底面４とフロア表面化粧板５との貼着面９（この場合、前記底面４）に到達する離間穴１０（本実施形態では、フロア表面化粧板５のコーナー部を切り欠いて形成した離間穴１０ａ）を有することを特徴とするものである。
【００１８】
すなわち、フロアパネルＡの表面の模様替えを行なう際、フロア表面化粧板５の表側化粧面６ａと裏側化粧面６ｂとを反転するため、一旦、フロア表面化粧板５を凹部３の底面４から剥離する必要があるが、このとき、開放口８から加圧ガス（通常は、圧縮空気が好適に使用可能である。）１２を注入し、底面４とフロア表面化粧板５との貼着面９に到達するように形成した離間穴１０の内部を加圧し、貼着面９の剥離を促進し得るというものである。
【００１９】
この場合、離間穴１０及びその開放口８の形成部位、形状、大きさ、個数等については、本実施形態にのみ限定されるものではなく、例えば、図５に示すように、離間穴１０及びその開放口８をフロアパネル本体１に形成する構成、あるいは、図６に示すように、開放口８をフロアパネル本体１に形成する一方、離間穴１０をフロアパネル本体１とフロア表面化粧板５とに跨って形成する構成等も当然に可能であり、上記課題解決に寄与する限りにおいて何ら制約のないことはいうまでもない。
【００２０】
ここで、フロアパネルＡの製作手順の概略を説明すると以下のようになる。
［１］合板（厚さ：１２ｍｍ〜１５ｍｍ）に単板を貼り、実（さね）加工（ここでは、雄実１３、雌実１４の形成）、塗装を施してフロアパネル本体１を形成した後、ＮＣルータを用いてフロアパネル本体１の表面２から深さ約６ｍｍ程度削り取り、凹部３を形成する。凹部３の底部に不陸調整及び接着性向上のためのアルミニウムシート１１を貼着し、底面４を形成する。
［２］  合板（厚さ：５．５ｍｍ）に両面単板を貼り、両面塗装して表裏両面に化粧面６（すなわち、表側化粧面６ａ、及び、裏側化粧面６ｂ）を具備するフロア表面化粧板５を形成する。さらに、所定寸法に裁断した後、フロア表面化粧板５のコーナー部を切り欠いて離間穴１０ａを形成する。
［３］  アルミニウムシート１１の平滑な金属面７が露出した底面４に接着後の再剥離が比較的容易なポリエチレングリコール系接着剤を塗布し、上記フロア表面化粧板５を貼着する。併せて、隙間処理として上記ポリエチレングリコール系接着剤でコーキングする。
【００２１】
以上のように、本発明のフロアパネルは、フロアパネル本体の表面に凹部を形成し、前記凹部の底面にフロア表面化粧板を嵌入、貼着してなるフロアパネルであって、前記フロア表面化粧板が再剥離可能に貼着されてなるので、フロアパネルの再敷設を伴わず、再剥離可能な既設のフロア表面化粧板を剥離、反転、再貼着するだけでリバーシブルフロアを形成でき、また、フロア表面化粧板のみの交換も容易で床面の模様替えが簡便にできることとなる。
【図面の簡単な説明】
【００２２】
【図１】本発明の一実施形態であるフロアパネルＡの概略構造を示す斜視図である。
【図２】本発明の一実施形態であるフロアパネルＡの概略構造を示す分解斜視図である。
【図３】本発明の一実施形態であるフロアパネルＡの概略構造を示すもので、図１のＸ‐Ｘ’における縦断面図である。
【図４】離間穴１０ａを具備するフロアパネルＡの概略構造を示すもので、図１のＴ‐Ｔ’における縦断面図である。
【図５】離間穴１０ｂを具備する本発明の一実施形態であるフロアパネルＢの概略構造を示す、図４と同様の縦断面図である。
【図６】離間穴１０ｃを具備する本発明の一実施形態であるフロアパネルＣの概略構造を示す、図４と同様の縦断面図である。
【符号の説明】
【００２３】
１    フロアパネル本体
２    表面（フロアパネル本体１）
３    凹部（フロアパネル本体１）
４    底面（凹部３）
５    フロア表面化粧板
６    化粧面
６ａ  表側化粧面（化粧面６）
６ｂ  裏側化粧面（化粧面６）
７    金属面
８    開放口（離間穴１０）
９    貼着面
１０    離間穴
１０ａ  離間穴（離間穴１０）
１０ｂ  離間穴（離間穴１０）
１０ｃ  離間穴（離間穴１０）
１１    アルミニウムシート
１２    加圧ガス
１３    雄実（フロアパネルＡ）
１４    雌実（フロアパネルＡ）
Ａ    フロアパネル
Ｂ    フロアパネル
Ｃ    フロアパネル
【図１】
2006144334.tif 000003
【図２】
2006144334.tif 000004
【図３】
2006144334.tif 000005
【図４】
2006144334.tif 000006
【図５】
2006144334.tif 000007
【図６】
2006144334.tif 000008